(57)【要約】【課題】連結された２つの柱の軸耐力、曲げ耐力、及び曲げ剛性を向上させることができる架構式構造を提供すること。【解決手段】架構式構造は、第１柱と、第１柱の隣りに配置される第２柱と、第１柱と第２柱とを連結する連結材と、を備える。第１柱を長手方向に対して直交する平面で切った断面形状は、閉断面である。第２柱を長手方向に対して直交する平面で切った断面形状は、閉断面である。【選択図】図２
2020056175.tif 000002
【特許請求の範囲】
【請求項１】
第１柱と、
前記第１柱の隣りに配置される第２柱と、
前記第１柱と前記第２柱とを連結する連結材と、
を備え、
前記第１柱を長手方向に対して直交する平面で切った断面形状は、閉断面であり、
前記第２柱を長手方向に対して直交する平面で切った断面形状は、閉断面である
架構式構造。
【請求項２】
前記第１柱及び前記第２柱は、角形鋼管である
請求項１に記載の架構式構造。
【請求項３】
前記第１柱は、Ｈ形鋼である第１本体と、前記第１本体の一方のフランジから他方のフランジに亘って配置される第１補強部材と、を備え、
前記第２柱は、Ｈ形鋼である第２本体と、前記第２本体の一方のフランジから他方のフランジに亘って配置される第２補強部材と、を備える
請求項１に記載の架構式構造。
【請求項４】
前記第１柱の内部に充填され且つコンクリートを含む第１充填材と、
前記第２柱の内部に充填され且つコンクリートを含む第２充填材と、
を備える請求項１から３のいずれか１項に記載の架構式構造。
【発明の詳細な説明】
【技術分野】
【０００１】
本発明は、架構式構造に関する。
【背景技術】
【０００２】
建築物において、剛性を高めるために、大きい柱が用いられることがある。しかしこの場合、柱のうち壁面から張り出す部分が大きくなるので、室内空間の利用に制約が生じる可能性がある。例えば、柱の壁面からの張り出しを抑制するための技術として特許文献１が挙げられる。特許文献１には、連結された一対のＨ形鋼を備える連結柱が記載されている。
【先行技術文献】
【特許文献】
【０００３】
【特許文献１】特開２０１６−６９８３９号公報
【発明の概要】
【発明が解決しようとする課題】
【０００４】
しかし、Ｈ形鋼の弱軸周りの細長比は大きくなりやすいため、連結された２つの柱の軸耐力（座屈耐力）を向上させることが難しい。また、Ｈ形鋼の弱軸周りの断面二次モーメントは小さくなりやすいため、連結された２つの柱の曲げ耐力と曲げ剛性を向上させることが難しい。
【０００５】
本開示は、上記の課題に鑑みてなされたものであって、連結された２つの柱の軸耐力、曲げ耐力、及び曲げ剛性を向上させることができる架構式構造を提供することを目的とする。
【課題を解決するための手段】
【０００６】
上記の目的を達成するため、本開示の一態様の架構式構造は、第１柱と、前記第１柱の隣りに配置される第２柱と、前記第１柱と前記第２柱とを連結する連結材と、を備え、前記第１柱を長手方向に対して直交する平面で切った断面形状は、閉断面であり、前記第２柱を長手方向に対して直交する平面で切った断面形状は、閉断面である。
【０００７】
上記の架構式構造の望ましい態様として、前記第１柱及び前記第２柱は、角形鋼管である。
【０００８】
上記の架構式構造の望ましい態様として、前記第１柱は、Ｈ形鋼である第１本体と、前記第１本体の一方のフランジから他方のフランジに亘って配置される第１補強部材と、を備え、前記第２柱は、Ｈ形鋼である第２本体と、前記第２本体の一方のフランジから他方のフランジに亘って配置される第２補強部材と、を備える。
【０００９】
上記の架構式構造の望ましい態様として、前記第１柱の内部に充填され且つコンクリートを含む第１充填材と、前記第２柱の内部に充填され且つコンクリートを含む第２充填材と、を備える。
【発明の効果】
【００１０】
本開示の架構式構造によれば、連結された２つの柱の軸耐力、曲げ耐力、及び曲げ剛性を向上させることができる。
【図面の簡単な説明】
【００１１】
【図１】図１は、実施形態の架構式構造の正面図である。
【図２】図２は、図１におけるＡ−Ａ断面図である。
【図３】図３は、第１変形例の架構式構造の断面図である。
【図４】図４は、第２変形例の架構式構造の正面図である。
【図５】図５は、第３変形例の架構式構造の正面図である。
【図６】図６は、図５におけるＢ−Ｂ断面図である。
【図７】図７は、図５におけるＣ−Ｃ断面図である。
【発明を実施するための形態】
【００１２】
以下、本発明につき図面を参照しつつ詳細に説明する。なお、本発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１３】
（実施形態）
図１は、実施形態の架構式構造の正面図である。図２は、図１におけるＡ−Ａ断面図である。本実施形態の架構式構造１００は、建築物の構造として用いられる。架構式構造１００は、柱及び梁によって床等を支持する構造である。
【００１４】
図１及び図２に示すように、架構式構造１００は、第１柱１０と、第２柱２０と、梁４０と、連結材３０と、中間連結材６０と、を備える。第１柱１０及び第２柱２０の長手方向は、鉛直方向と平行である。第１柱１０及び第２柱２０は、水平方向に並んで配置される。梁４０は、第１柱１０及び第２柱２０が並ぶ方向に沿って延びる。架構式構造１００は、連結された第１柱１０及び第２柱２０を備える複数の柱と、柱同士を連結する複数の梁４０と、を備える構造である。
【００１５】
以下の説明においては、ＸＹＺ直交座標軸が用いられる。Ｘ軸は、第１柱１０及び第２柱２０が並ぶ方向と平行な軸である。Ｚ軸は、第１柱１０及び第２柱２０の長手方向と平行な軸である。Ｙ軸は、Ｘ軸及びＺ軸に対して直交する軸である。Ｘ軸と平行な方向は、Ｘ方向と記載される。Ｙ軸と平行な方向は、Ｙ方向と記載される。Ｚ軸と平行な方向は、Ｚ方向と記載される。Ｘ方向のうち、第１柱１０から第２柱２０に向かう方向を＋Ｘ方向とする。＋Ｘ方向を向いた場合の右方向を＋Ｙ方向とする。Ｚ方向のうち上方向を＋Ｚ方向とする。
【００１６】
図１に示すように、第１柱１０は、Ｚ方向に沿って延びる。第１柱１０の長手方向は、Ｚ方向と平行である。第１柱１０は、中空の部材である。図２に示すように、第１柱１０は、角形鋼管である。第１柱１０を長手方向に対して直交する平面で切った断面（第１柱１０の水平断面）の形状は、閉断面である。閉断面とは、部材の断面において肉厚の中心を通る線が環状である（端を有さない）形状である。第１柱１０の水平断面の形状は、環状であり且つ略矩形である。
【００１７】
図１に示すように、第２柱２０は、Ｚ方向に沿って延びる。第２柱２０の長手方向は、Ｚ方向と平行である。第２柱２０は、中空の部材である。図２に示すように、第２柱２０は、角形鋼管である。第２柱２０を長手方向に対して直交する平面で切った断面（第２柱２０の水平断面）の形状は、閉断面である。第２柱２０の水平断面の形状は、環状であり且つ略矩形である。第２柱２０は、Ｘ方向において第１柱１０の隣りに配置される。第２柱２０の側面は、第１柱１０の側面と平行である。
【００１８】
図１に示すように、梁４０は、Ｘ方向に沿って延びる。梁４０の長手方向は、Ｘ方向と平行である。梁４０は、Ｈ形鋼である。梁４０の鉛直断面は、Ｈ字状である。梁４０は、フランジ４１と、フランジ４２と、ウェブ４３と、を備える。フランジ４１の厚さ方向（板厚方向）は、Ｚ方向と平行である。厚さ方向は、板状部材において最も面積の大きい面に対する直交方向を意味し、以下の説明においても同様の意味で用いられる。フランジ４２の厚さ方向は、Ｚ方向と平行である。フランジ４２は、フランジ４１と平行である。ウェブ４３の厚さ方向は、Ｙ方向と平行である。ウェブ４３は、フランジ４１及びフランジ４２に対して直交する。梁４０は、連結材３０と接合される。
【００１９】
架構式構造１００が適用される建築物において、壁は、第１柱１０、第２柱２０及び梁４０によって形成される平面に沿うように設けられる。すなわち、建築物の壁は、ＸＺ平面と平行である。建築物の壁の厚さ方向は、Ｙ方向と平行である。
【００２０】
図１に示すように、連結材３０は、第１柱１０と第２柱２０とを連結する。連結材３０は、ダイヤフラム３１と、ダイヤフラム３２と、ダイヤフラム３３と、ダイヤフラム３４と、中間柱３５と、中間柱３６と、連結梁５０と、を備える。
【００２１】
図１及び図２に示すように、ダイヤフラム３１からダイヤフラム３４は、平板状の部材である。ダイヤフラム３１からダイヤフラム３４の厚さ方向は、Ｚ方向と平行である。ダイヤフラム３１及びダイヤフラム３２は、ＸＹ平面視で第１柱１０の全体と重なる。ダイヤフラム３１は、例えば溶接によって、第１柱１０の一方の端面（−Ｚ方向の端面）と接合される。ダイヤフラム３２は、例えば溶接によって、第１柱１０の他方の端面（＋Ｚ方向の端面）と接合される。ダイヤフラム３３及びダイヤフラム３４は、ＸＹ平面視で第２柱２０の全体と重なる。ダイヤフラム３３は、例えば溶接によって、第２柱２０の一方の端面（−Ｚ方向の端面）と接合される。ダイヤフラム３４は、例えば溶接によって、第２柱２０の他方の端面（＋Ｚ方向の端面）と接合される。
【００２２】
図１に示すように、中間柱３５は、ダイヤフラム３１とダイヤフラム３２とを連結する。中間柱３５の水平断面における形状は、第１柱１０の水平断面における形状と同じである。中間柱３５は、例えば溶接によって、ダイヤフラム３１及びダイヤフラム３２と接合される。
【００２３】
図１に示すように、中間柱３６は、ダイヤフラム３３とダイヤフラム３４とを連結する。中間柱３６の水平断面における形状は、第２柱２０の水平断面における形状と同じである。中間柱３６は、例えば溶接によって、ダイヤフラム３３及びダイヤフラム３４と接合される。
【００２４】
図１に示すように、中間柱３５及び中間柱３６のＺ方向の位置は、梁４０のＺ方向の位置と同じである。中間柱３５及び中間柱３６は、ＹＺ平面視で梁４０と重なる。梁４０のウェブ４３は、ガセットプレート４５を介してボルト等の固定部材によって中間柱３５又は中間柱３６に取り付けられる。梁４０のフランジ４１は、例えば溶接によってダイヤフラム３１又はダイヤフラム３３と接合される。梁４０のフランジ４２は、例えば溶接によってダイヤフラム３２又はダイヤフラム３４と接合される。
【００２５】
図１に示すように、連結梁５０は、Ｈ形鋼である。連結梁５０の鉛直断面は、Ｈ字状である。連結梁５０は、フランジ５１と、フランジ５２と、ウェブ５３と、を備える。フランジ５１の厚さ方向は、Ｚ方向と平行である。フランジ５２の厚さ方向は、Ｚ方向と平行である。フランジ５２は、フランジ５１と平行である。フランジ５２は、ＸＹ平面視でフランジ５１と重なる。ウェブ５３の厚さ方向は、Ｙ方向と平行である。ウェブ５３は、フランジ５１及びフランジ５２に対して直交する。ウェブ５３のＹ方向の位置は、梁４０のウェブ４３のＹ方向の位置と同じである。ウェブ５３は、ＹＺ平面視でウェブ４３と重なる。
【００２６】
連結梁５０は、中間柱３５と中間柱３６との間に配置される。連結梁５０のＺ方向の位置は、梁４０のＺ方向の位置と同じである。連結梁５０は、ＹＺ平面視で梁４０と重なる。連結梁５０のＸ方向の長さは、梁４０のＸ方向の長さよりも短い。フランジ５１は、例えば溶接によって、ダイヤフラム３１及びダイヤフラム３３と接合される。フランジ５２は、例えば溶接によって、ダイヤフラム３２及びダイヤフラム３４と接合される。ウェブ５３は、例えば溶接によって、中間柱３５及び中間柱３６と接合される。
【００２７】
図１に示すように、中間連結材６０は、Ｈ形鋼である。中間連結材６０の鉛直断面は、Ｈ字状である。中間連結材６０は、フランジ６１と、フランジ６２と、ウェブ６３と、を備える。フランジ６１の厚さ方向は、Ｚ方向と平行である。フランジ６２の厚さ方向は、Ｚ方向と平行である。フランジ６２は、フランジ６１と平行である。ウェブ６３の厚さ方向は、Ｙ方向と平行である。ウェブ６３は、フランジ６１及びフランジ６２に対して直交する。
【００２８】
図１に示すように、中間連結材６０は、第１柱１０と第２柱２０との間に配置される。中間連結材６０は、Ｚ方向に並ぶ２つの連結材３０の間に配置される。中間連結材６０のＺ方向の位置は、梁４０のＺ方向の位置とは異なる。中間連結材６０は、梁４０とは異なる高さで第１柱１０と第２柱２０とを連結する。中間連結材６０は、例えば溶接によって、第１柱１０及び第２柱２０と接合される。
【００２９】
上述したように、架構式構造１００は、連結された第１柱１０及び第２柱２０を備える。架構式構造１００は、大きな１本の柱を用いる場合と比較して、柱（第１柱１０及び第２柱２０）の壁面からの張り出しを抑制できる。このため、架構式構造１００によれば、室内空間をより自由に利用することが可能である。
【００３０】
架構式構造１００においては、連結材３０及び中間連結材６０によって、第１柱１０及び第２柱２０のＹ軸周り（強軸周り）の曲げ剛性が向上する。架構式構造１００は、地震によって建築物に水平力が作用した場合の第１柱１０及び第２柱２０の変形を抑制できる。架構式構造１００は、層間変位（下階に対する上階の相対的な水平方向の変位）を低減できる。架構式構造１００は、耐震性を向上させることができる。
【００３１】
なお、第１柱１０及び第２柱２０を長手方向に対して直交する平面で切った断面（第１柱１０及び第２柱２０の水平断面）の形状は、閉断面であればよく、必ずしも環状且つ略矩形でなくてもよい。第１柱１０及び第２柱２０の水平断面の形状は、例えば円形等であってもよい。すなわち、第１柱１０及び第２柱２０は、丸鋼管等であってもよい。
【００３２】
連結材３０は、必ずしも上述した構造を有していなくてもよい。例えば、連結材３０は、ダイヤフラム３１からダイヤフラム３４、中間柱３５及び中間柱３６を備えずに、第１柱１０及び第２柱２０と接合される連結梁５０で構成されてもよい。この場合、第１柱１０及び第２柱２０は、連結材３０で分断されない。すなわち、第１柱１０及び第２柱２０が、ダイヤフラムによって分断されずに、Ｚ方向に連続する。
【００３３】
以上で説明したように、本実施形態の架構式構造１００は、第１柱１０と、第２柱２０と、連結材３０と、を備える。第２柱２０は、第１柱１０の隣りに配置される。連結材３０は、第１柱１０と第２柱２０とを連結する。第１柱１０を長手方向に対して直交する平面で切った断面形状は、閉断面である。第２柱２０を長手方向に対して直交する平面で切った断面形状は、閉断面である。
【００３４】
これにより、第１柱１０及び第２柱２０が並ぶ方向と平行な軸周り（Ｘ軸周り）の第１柱１０及び第２柱２０の細長比が小さくなりやすい。このため、第１柱１０及び第２柱２０の軸耐力（座屈耐力）が向上する。また、第１柱１０及び第２柱２０が並ぶ方向と平行な軸周り（Ｘ軸周り）の第１柱１０及び第２柱２０の断面二次モーメントが大きくなりやすい。このため、第１柱１０及び第２柱２０の曲げ耐力と曲げ剛性が向上する。架構式構造１００は、連結された２つの柱の軸耐力、曲げ耐力、及び曲げ剛性を向上させることができる。
【００３５】
架構式構造１００は、上述した構造を有することによって、地震によって建築物に荷重が作用した場合の第１柱１０及び第２柱２０の変形を抑制できる。架構式構造１００は、層間変位（下階に対する上階の相対的な水平方向の変位）を低減できる。架構式構造１００は、耐震性を向上させることができる。
【００３６】
架構式構造１００においては、第１柱１０及び第２柱２０は、角形鋼管である。
【００３７】
これにより、架構式構造１００は、連結された２つの柱の軸耐力、曲げ耐力、及び曲げ剛性をより向上させることができる。また、第１柱１０及び第２柱２０の外周面が平面状であることによって、第１柱１０及び第２柱２０を連結材３０と接合する作業がより容易になる。すなわち、第１柱１０及び第２柱２０の外周面が平坦であるため、曲面状である場合と比較して、溶接等の作業が容易になる。
【００３８】
（第１変形例）
図３は、第１変形例の架構式構造の断面図である。なお、上述した実施形態で説明したものと同じ構成要素には同一の符号を付して重複する説明は省略する。
【００３９】
図３に示すように、第１変形例の架構式構造１００Ａは、第１充填材１８と、第２充填材１９と、を備える。第１充填材１８は、第１柱１０の内部に充填される。第１充填材１８は、コンクリートを含む。例えば、架構式構造１００Ａにおいては、第１充填材１８は、コンクリートのみで構成される。第２充填材１９は、第２柱２０の内部に充填される。第２充填材１９は、コンクリートを含む。例えば、架構式構造１００Ａにおいては、第２充填材１９は、コンクリートのみで構成される。第１変形例における第１柱１０及び第２柱２０のように、鋼管の内部にコンクリートを充填した構造は、コンクリート充填鋼管構造（ＣＦＴ（Concrete  Filled  Steel  Tube））と呼ばれる。架構式構造１００Ａにおいては、ダイヤフラム３１からダイヤフラム３４のそれぞれが、コンクリートを通過させるための開口を備える。
【００４０】
なお、第１充填材１８及び第２充填材１９は、必ずしもコンクリートのみで構成されなくてもよい。第１充填材１８及び第２充填材１９は、少なくともコンクリートを含んでいればよく、コンクリート以外の材料を含んでいてもよい。
【００４１】
以上で説明したように、第１変形例の架構式構造１００Ａは、第１柱１０の内部に充填され且つコンクリートを含む第１充填材１８と、第２柱２０の内部に充填され且つコンクリートを含む第２充填材１９と、を備える。
【００４２】
これにより、架構式構造１００Ａは、連結された２つの柱の軸耐力、曲げ耐力、及び曲げ剛性をより向上させることができる。
【００４３】
（第２変形例）
図４は、第２変形例の架構式構造の正面図である。なお、上述した実施形態で説明したものと同じ構成要素には同一の符号を付して重複する説明は省略する。
【００４４】
図４に示すように、第２変形例の架構式構造１００Ｂは、中間連結材９０を備える。中間連結材９０は、第１柱１０と第２柱２０とを連結する。中間連結材９０は、ダイヤフラム９１と、ダイヤフラム９２と、ダイヤフラム９３と、ダイヤフラム９４と、中間柱９５と、中間柱９６と、連結梁６０Ｂと、を備える。
【００４５】
図４に示すように、ダイヤフラム９１からダイヤフラム９４は、平板状の部材である。ダイヤフラム９１からダイヤフラム９４の厚さ方向は、Ｚ方向と平行である。ダイヤフラム９１及びダイヤフラム９２は、ＸＹ平面視で第１柱１０の全体と重なる。ダイヤフラム９１は、例えば溶接によって、第１柱１０の一方の端面（−Ｚ方向の端面）と接合される。ダイヤフラム９２は、例えば溶接によって、第１柱１０の他方の端面（＋Ｚ方向の端面）と接合される。ダイヤフラム９３及びダイヤフラム９４は、ＸＹ平面視で第２柱２０の全体と重なる。ダイヤフラム９３は、例えば溶接によって、第２柱２０の一方の端面（−Ｚ方向の端面）と接合される。ダイヤフラム９４は、例えば溶接によって、第２柱２０の他方の端面（＋Ｚ方向の端面）と接合される。
【００４６】
図４に示すように、中間柱９５は、ダイヤフラム９１とダイヤフラム９２とを連結する。中間柱９５の水平断面における形状は、第１柱１０の水平断面における形状と同じである。中間柱９５は、例えば溶接によって、ダイヤフラム９１及びダイヤフラム９２と接合される。
【００４７】
図４に示すように、中間柱９６は、ダイヤフラム９３とダイヤフラム９４とを連結する。中間柱９６の水平断面における形状は、第２柱２０の水平断面における形状と同じである。中間柱９６は、例えば溶接によって、ダイヤフラム９３及びダイヤフラム９４と接合される。
【００４８】
図４に示すように、連結梁６０Ｂは、Ｈ形鋼である。連結梁６０Ｂの鉛直断面は、Ｈ字状である。連結梁６０Ｂは、フランジ６１Ｂと、フランジ６２Ｂと、ウェブ６３Ｂと、を備える。フランジ６１Ｂの厚さ方向は、Ｚ方向と平行である。フランジ６２Ｂの厚さ方向は、Ｚ方向と平行である。フランジ６２Ｂは、フランジ６１Ｂと平行である。フランジ６２Ｂは、ＸＹ平面視でフランジ６１Ｂと重なる。ウェブ６３Ｂの厚さ方向は、Ｙ方向と平行である。ウェブ６３Ｂは、フランジ６１Ｂ及びフランジ６２Ｂに対して直交する。
【００４９】
連結梁６０Ｂは、中間柱３５と中間柱３６との間に配置される。フランジ６１Ｂは、例えば溶接によって、ダイヤフラム９１及びダイヤフラム９３と接合される。フランジ６２Ｂは、例えば溶接によって、ダイヤフラム９２及びダイヤフラム９４と接合される。ウェブ６３Ｂは、例えば溶接によって、中間柱９５及び中間柱９６と接合される。
【００５０】
（第３変形例）
図５は、第３変形例の架構式構造の正面図である。図６は、図５におけるＢ−Ｂ断面図である。図７は、図５におけるＣ−Ｃ断面図である。なお、上述した実施形態で説明したものと同じ構成要素には同一の符号を付して重複する説明は省略する。
【００５１】
図５に示すように、第２変形例の架構式構造１００Ｃは、第１柱７０と、第２柱８０と、リブ７５と、リブ８５と、を備える。
【００５２】
図５に示すように、第１柱７０は、Ｚ方向に沿って延びる。第１柱７０の長手方向は、Ｚ方向と平行である。図６に示すように、第１柱７０は、第１本体７１と、第１補強部材７２と、第１補強部材７３と、を備える。第１本体７１は、Ｈ形鋼である。第１本体７１の水平断面は、Ｈ字状である。第１本体７１は、フランジ７１１と、フランジ７１２と、ウェブ７１３と、を備える。フランジ７１１の厚さ方向は、Ｘ方向と平行である。フランジ７１２の厚さ方向は、Ｘ方向と平行である。フランジ７１２は、フランジ７１１と平行である。ウェブ７１３の厚さ方向は、Ｙ方向と平行である。ウェブ７１３は、フランジ７１１及びフランジ７１２に対して直交する。
【００５３】
第１補強部材７２及び第１補強部材７３は、平板状の部材である。第１補強部材７２及び第１補強部材７３の長手方向は、Ｚ方向と平行である。第１補強部材７２及び第１補強部材７３の厚さ方向は、Ｙ方向と平行である。第１補強部材７２及び第１補強部材７３は、ウェブ７１３と平行である。第１補強部材７２及び第１補強部材７３は、フランジ７１１とフランジ７１２とで形成される開口をＹ方向から塞ぐように、フランジ７１１からフランジ７１２に亘って配置される。第１補強部材７２は、フランジ７１１の一端（＋Ｙ方向の端部）及びフランジ７１２の一端（＋Ｙ方向の端部）と接合される。第１補強部材７３は、フランジ７１１の他端（−Ｙ方向の端部）及びフランジ７１２の他端（−Ｙ方向の端部）と接合される。第１補強部材７２及び第１補強部材７３は、例えば溶接によって、フランジ７１１及びフランジ７１２と接合される。
【００５４】
図６に示すように、第１柱７０は、中空の部材である。第１柱７０を長手方向に対して直交する平面で切った断面（第１柱７０の水平断面）の形状は、閉断面である。フランジ７１１、フランジ７１２、第１補強部材７２及び第１補強部材７３によって、環状であり且つ略矩形である形状が描かれる。
【００５５】
図５に示すように、第２柱８０は、Ｚ方向に沿って延びる。第２柱８０の長手方向は、Ｚ方向と平行である。図６に示すように、第２柱８０は、第２本体８１と、第２補強部材８２と、第２補強部材８３と、を備える。第２本体８１は、Ｈ形鋼である。第２本体８１の水平断面は、Ｈ字状である。第２本体８１は、Ｘ方向において第１本体７１の隣りに配置される。第２柱８０は、フランジ８１１と、フランジ８１２と、ウェブ８１３と、を備える。フランジ８１１の厚さ方向は、Ｘ方向と平行である。フランジ８１１は、第１本体７１のフランジ７１２に面する。フランジ８１２の厚さ方向は、Ｘ方向と平行である。フランジ８１２は、フランジ８１１と平行である。ウェブ８１３の厚さ方向は、Ｙ方向と平行である。ウェブ８１３は、フランジ８１１及びフランジ８１２に対して直交する。
【００５６】
第２補強部材８２及び第２補強部材８３は、平板状の部材である。第２補強部材８２及び第２補強部材８３の長手方向は、Ｚ方向と平行である。第２補強部材８２及び第２補強部材８３の厚さ方向は、Ｙ方向と平行である。第２補強部材８２及び第２補強部材８３は、ウェブ８１３と平行である。第２補強部材８２及び第２補強部材８３は、フランジ８１１とフランジ８１２とで形成される開口をＹ方向から塞ぐように、フランジ８１１からフランジ８１２に亘って配置される。第２補強部材８２は、フランジ８１１の一端（＋Ｙ方向の端部）及びフランジ８１２の一端（＋Ｙ方向の端部）と接合される。第２補強部材８３は、フランジ８１１の他端（−Ｙ方向の端部）及びフランジ８１２の他端（−Ｙ方向の端部）と接合される。第２補強部材８２及び第２補強部材８３は、例えば溶接によって、フランジ８１１及びフランジ８１２と接合される。
【００５７】
図６に示すように、第２柱８０は、中空の部材である。第２柱８０を長手方向に対して直交する平面で切った断面（第２柱８０の水平断面）の形状は、閉断面である。フランジ８１１、フランジ８１２、第２補強部材８２及び第２補強部材８３によって、環状であり且つ略矩形である形状が描かれる。
【００５８】
図５に示すように、リブ７５は、平板状の部材である。リブ７５の厚さ方向は、Ｚ方向と平行である。リブ７５は、フランジ７１１、フランジ７１２及びウェブ７１３のそれぞれに対して直交する。リブ７５は、例えば溶接によって、フランジ７１１、フランジ７１２及びウェブ７１３と接合される。
【００５９】
図５に示すように、複数のリブ７５のうちの１つのＺ方向の位置は、梁４０のフランジ４１のＺ方向の位置と同じである。複数のリブ７５のうちの１つのＺ方向の位置は、梁４０のフランジ４２のＺ方向の位置と同じである。複数のリブ７５のうちの１つのＺ方向の位置は、中間連結材６０のフランジ６１のＺ方向の位置と同じである。複数のリブ７５のうちの１つのＺ方向の位置は、中間連結材６０のフランジ６２のＺ方向の位置と同じである。すなわち、複数のリブ７５のうちの１つは、ＹＺ平面視で、フランジ４１、フランジ４２、フランジ６１、及びフランジ６２のいずれか１つと重なる。
【００６０】
図５に示すように、リブ８５は、平板状の部材である。リブ８５の厚さ方向は、Ｚ方向と平行である。リブ８５は、フランジ８１１、フランジ８１２及びウェブ８１３のそれぞれに対して直交する。リブ８５は、例えば溶接によって、フランジ８１１、フランジ８１２及びウェブ８１３と接合される。
【００６１】
図５に示すように、複数のリブ８５のうちの１つのＺ方向の位置は、梁４０のフランジ４１のＺ方向の位置と同じである。複数のリブ８５のうちの１つのＺ方向の位置は、梁４０のフランジ４２のＺ方向の位置と同じである。複数のリブ８５のうちの１つのＺ方向の位置は、中間連結材６０のフランジ６１のＺ方向の位置と同じである。複数のリブ８５のうちの１つのＺ方向の位置は、中間連結材６０のフランジ６２のＺ方向の位置と同じである。すなわち、複数のリブ８５のうちの１つは、ＹＺ平面視で、フランジ４１、フランジ４２、フランジ６１、及びフランジ６２のいずれか１つと重なる。
【００６２】
以上で説明したように、第３変形例の架構式構造１００Ｃにおいて、第１柱７０は、Ｈ形鋼である第１本体７１と、第１本体７１の一方のフランジ７１１から他方のフランジ７１２に亘って配置される第１補強部材７２（第１補強部材７３）と、を備える。第２柱８０は、Ｈ形鋼である第２本体８１と、第２本体８１の一方のフランジ８１１から他方のフランジ８１２に亘って配置される第２補強部材８２（第２補強部材８３）と、を備える。
【００６３】
これにより、第１柱７０及び第２柱８０が並ぶ方向と平行な軸周り（Ｘ軸周り）の第１柱７０及び第２柱８０の細長比が小さくなりやすい。このため、第１柱７０及び第２柱８０の軸耐力（座屈耐力）が向上する。また、第１柱７０及び第２柱８０が並ぶ方向と平行な軸周り（Ｘ軸周り）の第１柱７０及び第２柱８０の断面二次モーメントが大きくなりやすい。このため、第１柱７０及び第２柱８０の曲げ耐力と曲げ剛性が向上する。架構式構造１００Ｃは、連結された２つの柱の軸耐力、曲げ耐力、及び曲げ剛性を向上させることができる。さらに、架構式構造１００Ｃにおいては、第１柱７０及び第２柱８０は、Ｚ方向で分断されずに連続する。
【符号の説明】
【００６４】
１０  第１柱
１８  第１充填材
１９  第２充填材
２０  第２柱
３０  連結材
３１、３２、３３、３４  ダイヤフラム
３５、３６  中間柱
４０  梁
４１、４２  フランジ
４３  ウェブ
４５  ガセットプレート
５０  連結梁
５１、５２  フランジ
５３  ウェブ
６０  中間連結材
６１、６２  フランジ
６３  ウェブ
６０Ｂ  連結梁
６１Ｂ、６２Ｂ  フランジ
６３Ｂ  ウェブ
７０  第１柱
７５  リブ
８０  第２柱
８５  リブ
９０  中間連結材
９１、９２、９３、９４  ダイヤフラム
９５、９６  中間柱
１００、１００Ａ、１００Ｂ、１００Ｃ  架構式構造
７１１、７１２  フランジ
７１３  ウェブ
８１１、８１２  フランジ
８１３  ウェブ
【図１】
2020056175.tif 000003
【図２】
2020056175.tif 000004
【図３】
2020056175.tif 000005
【図４】
2020056175.tif 000006
【図５】
2020056175.tif 000007
【図６】
2020056175.tif 000008
【図７】
2020056175.tif 000009